【事件の表示】
　特願２００２−５８２５０７「グループ通信システム内の情報配信システムおよび方法」拒絶査定不服審判事件〔平成１４年１０月２４日国際公開、ＷＯ０２／８４８９５、平成１７年　１月　６日国内公表、特表２００５−５００７１４〕について、次のとおり審決する。
【結　論】
　本件審判の請求は、成り立たない。
【理　由】
１　手続の経緯 ・本願発明
　　本願は、２００２年４月１１日（パリ条約による優先権主張外国庁受理２００１年４月１２日、米国）を国際出願日とする出願であって、 平成１９年５月１８日付けで拒絶の理由が通知され、それに対し、平成１９年１１月１５日付けで手続補正書が提出されたが、平成２０年８月２７日付けで拒絶査定がされ、同年１２月１日に、審判請求がなされるとともに、同年１２月１０日付けで手続補正書が提出されたものである。
　そして、平成２０年１２月１０日付け手続補正書の特許請求の範囲の請求項１に係わる発明は，特許請求の範囲の請求項１に記載された次のとおりのものと認める。（以下「本願発明」という。なお、平成１９年１１月１５日付け手続補正書の特許請求の範囲の請求項１の記載と、平成２０年１２月１０日付け手続補正書の特許請求の範囲の請求項１の記載は、同一である。） 
　
　「情報配信システムであって、
　少なくともコンピュータネットワークに結合された無線電話ネットワークによって定義され、グループ通信ネットを定義する複数の通信デバイスと接続している通信ネットワークと、
　前記コンピュータネットワークに接続され、複数の情報メッセージを保持しているメッセージモジュールと、
　前記コンピュータネットワークに接続され、前記コンピュータネットワークを経由して前記通信ネットワークの各々にも接続されており、前記グループ通信ネットの１つのメンバーから前記コンピュータネットワークを経由してデータパケットを受信し、このデータパケットを前記コンピュータネットワークを経由して、前記グループ通信ネットの他のメンバーのうちの少なくとも１つに送信することが可能なように動作し、もって、グループ通信セッションを監視し、前記複数のメッセージのうちの予め定めた１つを前記グループ通信ネットに配信するコントローラモジュールと、
　前記コントローラモジュールに接続されており、予め定めた配信特性に基づいて、予め定めたメッセージの配信をスケジューリングすることが可能なように動作する配信マネジャーと
を備えた情報配信システム。 」
　
２　引用刊行物記載の発明
　これに対して，原査定の拒絶の理由に引用された，本願の優先日前である平成１２年１２月１４日に頒布された「国際公開第００／７５８０１号」（以下「引用例」という。）には，次の事項が記載されている。
　
　(1)　「 An object of the invention is to provide a system and method of communication using video conferencing systems, which overcome the limitations of present day, video conferencing systems. 
　A further object of the invention is to provide a system and method for communicating with and advertising to a targeted audience via a telephone system including mobile phones and video phone and conferencing systems. 
Advertisements and messages are inserted into the video stream being transmitted to the recipient. The recipient is identified by the system and the advertisements and messages which are sent are tailored to suit the recipient's profile. For example, advertisements relating to lingerie would only be sent to a female recipient within a certain age group. This form of advertising which targets a specific audience is very efficient. 」（３頁２行〜１３行）
（当審訳
　この発明の目的は、ビデオ会議システムを使用する、システムと通信方法を提供します。それは、現在のビデオ会議システムの限界を乗り越えます。
　この発明のもう一つの目的は、携帯電話とテレビ電話を含む、電話システムおよび会議システムによって対象とされた聴衆と通信し、広告する、システム及び方法を提供することです。
　広告とメッセージは受信者に送信されているビデオストリームに挿入されます。受信者はシステムによって識別され、また、送信される広告とメッセージは受信者のプロファイルに適するために合わせられます。例えば、ランジェリーに関係のある広告は、ある年齢集団内の女性の受信者のもとだけに送られるでしょう。特定の聴衆をターゲットとする広告のこの形式は非常に効率的です。）
　
　(2)　「The method according to claim 5, and further includes a telecommunications link in communication with the Internet. 
　Furthermore, in accordance with a preferred embodiment of the present invention, the telecommunications link includes any of a group including wireless, PSTN and cellular networks. The wireless networks include any of a group including CDMA, GPRS platform for mobile data networking services, Wideband CDMA, IP protocol integration and platforms for mobile multimedia communications. 」（６頁１３〜２０行）
（当審訳
クレーム5、及びその他に記載の方法は、インターネットとの通信にテレコミュニケーション・リンクを含んでいます。
　更に、この発明の好ましい実施例によると、テレコミュニケーション・リンクは、無線通信、PSTNおよびセルラー・ネットワークを含むグループのうちのいずれかを含んでいます。このワイヤレス・ネットワークは、CDMA、モバイルデータをネットワークサービス用のGPRSプラットフォーム、広帯域CDMA、IP統合プロトコルそしてモバイルのマルチメディア通信用のプラットフォームを含むグループのうちのいずれかを含んでいます。）
　
　(3)　「Reference is now made to Fig. 1, which is a schematic illustration of a communications system, utilizing a remote management server 110 and a gateway 150, constructed and operative in accordance with a preferred embodiment of the present invention. 
  The communications system further illustrates the connections between the remote management server 110 and the gateway 150 and the Internet 152 which is shown for exemplary purposes only as the communications hub, through which PPP connections may be made, preferably utilizing a H. 323 complant terminal 154. Communication may be via cellular switch 156 from mobile devices 158 via a wireless network 160 or any other wireless or telecommunications link in communication with the Internet 152. 
  In an alternative embodiment, a video conferencing system may be used. 
Fig. 2 illustrates a videophone 100 used for video conferencing, displaying the caller 102 during a video phone call. Also displayed is an advertisement 104, which has been inserted within the video stream being transmitted to the recipient of the call. 
  Advertisements and messages are inserted into the video stream being transmitted to the recipient. The recipient is identified by the system and the advertisements and messages which are sent are tailored to suit the recipient's profile. 
  Gateway 150 performs real time mixing of the advertisement/message data, which may be stored on the management server 110 or in any other location in communication with gateway 150. 
  The wireless networks 160 include but are not limited to CDMA, GPRS platform for mobile data networking services, WCDMA-Wideband CDMA, IP protocol integration and 3rd Generation mobile terminals, such as platforms for mobile multimedia communications, includes voice, video and data transfers (rich call). 
  The communication link may be any suitable link for an IP network, such as cable-modem, xDSL, Ethernet, satellite communication, wireless, cellular or any other communication methods. 
  Fig. 3 is a schematic block diagram illustration of the connection between the remote management center 110 and a plurality of video-phones 100 (or conference systems). 
  The remote management center 110 is a server which controls the routing of the call from the caller to the recipient as well as the processing customer and advertiser information. The remote management center 110 receives information from advertisers 112, information regarding clients 114, billing information from the telephone carriers 116. The remote management center 110 also processes the customer requests to the call center 118, billings to customers and advertisers 120 and can supply statistical information to the advertisers 122.  」（９頁２行〜１０頁１８行）
（当審訳
　通信システムの概要図である図1参照。この発明の好ましい実施例においては、構築され、運用される、リモート管理サーバ110とゲートウェイ150を利用します。
　この通信システムは、さらにリモート管理サーバー110とゲートウエイ150の間の接続、およびインターネット152（これは通信ハブとしてのみの典型的な目的のために示されており、ＰＰＰ接続された、好適には、Ｈ．３２３適応端末154が接続された通信ハブである）を示している。モバイル装置158からの通信は、ワイヤレス・ネットワーク160あるいはその他の無線、テレコミニケーションリンクを経由し、セルのスイッチ156を経由し、インターネット152と通信されます。
　ほかの具体例では、テレビ会議システムが使われます。図2は、テレビ電話100を示します。これはビデオ会議に使われ、テレビ電話中の間に、電話相手102を表示します。さらに、広告104が表示されます。これは、電話相手の受信者に送信されているビデオストリームの内に挿入されます。
 広告とメッセージは受信者に送信されているビデオストリームに挿入されます。受信者はシステムによって識別され、送信される広告とメッセージは、受信者のプロファイルに適するように調整されます。 
　ゲートウェイ150は、広告/メッセージ・データのリアル・タイムでの混合を行ないます。そのデータは、管理サーバー110上、あるいはゲートウエイ150と通信される他の装置に格納されています。
　ワイヤレス・ネットワーク160は、モバイルのマルチメディア通信用プラットフォームとしての、CDMA、モバイルのデータをネットワークサービスのGPRSプラットフォーム、WCDMA（広帯域CDMA）、IPプロトコル統合および3Ｇモバイル端末だけに制限されるわけではなく、音声、ビデオおよびデータの転送(いわゆるリッチコール)を含んでいます。
　通信リンクは、IPネットワークに適したリンクです。例えば、ケーブルモデム、xDSL、イーサネット、衛星通信、無線通信、セルラー　又は　その他の通信手段です。
　図3は、遠隔の管理センター110と複数のテレビ電話100(あるいは会議システム)との間の接続の概要のブロックダイヤグラム図です。
　リモート管理センター110は、顧客および広告主情報を処理すると同様に、発信者から受信者へ通話のルーティングを管理するサーバです。リモート管理センター110は、広告主からの情報112、クライアントに関する情報114、回線業者からの請求情報116、を得ます。さらに、リモート管理センター110は、コール・センターへの顧客リクエストを処理(118)し、顧客と広告主へ請求(120)し、広告主に統計資料を提供する（122）ことができます。 ）
　
　(4)　「Reference is now made to Fig. 5, which is a schematic block diagram illustration of the criteria for advertisement selection. 
  The criteria include, but are not limited to:
　　a. Clients (user) information, such as demographic, socioeconomic and habits; 
　　b. Clients (user) information gathered by the system and user behavior, such as calling habits, and buying preferences; 
　　c. Current Clients (user) advertisements memory contents, by means of current rules, priority advertisements and memory overload; and 
　　d. Advertisers rules, display order, timing, quantity, targeting criteria such as clients'demographic/socioeconomic status etc. 
  The 'rules'/criteria for each client are stored in the remote management center 110 for access later during display (see Fig. 4). 
  Reference is now made to Fig. 6, which is a schematic flow chart diagram illustration of the criteria for advertisement selection on a communication system. 
  The selection of advertisements is based on, but is not limited to, an analysis of the following criteria:
　　 a. time and dates;
　　 b. priority rules;
　　 c. user-based rules and call status; and
　　 d. advertisement history information; 
  Pre-defined weights are then applied to results of the above rules. The applicable advertisement is then selected for display. 
  Reference is now made to Fig. 7, which is a schematic flow chart diagram illustration of the advertisements/messages up-loading process from the remote management center to the video-conferencing systems memory. 
  The criteria for selecting the advertisements/messages are processes, including defining new advertising/messages and updating the memory contents and any rules changes, for each client (user) (step 302). 
  Identical memory contents and rules for groups are defined and a unique multi-cast address for each group is set (step 304). 
  Group definition and memory contents definition are sent to each communication system (step 306) and advertisements/messages are sent by muiti-cast to the defined groups (step 308). The rest of the messages are sent by broadcasting. The decision whether to send by multi-cast is determined by the efficiency criteria. 」（１１頁１６行〜１３頁３行）
（当審訳
図5を参照し、広告選択の基準の概要ブロックダイヤグラムを説明します。
この基準は次のものを含んでいます、しかしこれに限定されてはいません。
　a..クライアント(ユーザ)情報、例えば、人口統計的、社会経済的、習慣等
　b.システムによって集められたクライアント（ユーザ）情報や、ユーザの行動、例えば、電話の習性、購買習性等
　c. 現在のクライアント（ユーザー）の広告の記憶内容、例えば、現在の規則そして、優先する広告、記憶の負荷等
　d.広告ルール、表示順、タイミング、量、目標とする尺度、例えば、クライアントの人口統計学的/社会経済的な位置等
　この各クライアントのルール/基準は、リモート管理センター110に、後に表示、アクセスできるように格納されます(図4を参照)。
　図6を参照し、通信システムの広告の選択の基準の概要フローチャートダイアグラムを説明します。
　広告の選択は以下の規則分析に基づくが、これに限定されません。
　a. 時間と日付
　b. 優先ルール
　c. ユーザベースの規則および電話のステータス
　d. 広告履歴情報
　そして、あらかじめ決められた重みが、上記の規則の結果に適用されます。 そして、効果的な広告が、表示するために選択されます。
　図7を参照し、リモート管理センターからビデオ会議システムのメモリーに広告／メッセージをアップロードするプロセスの概要フローチャートダイアグラムを説明します。
　広告/メッセージを選択する基準は以下のプロセスを含んでいます。それぞれのクライアント（ユーザ）のために、新規の広告／メッセージが定められ、記憶内容を更新され、そして、あるルールは、変更されます。(ステップ302)
　グループ用の同一の記憶内容および規則が定められ、また、各グループの独自のマルチキャスト・アドレスがセットされます。(ステップ304)
　グループ定義および記憶内容の定義は各通信システム(ステップ306)に送られます。（ステップ306)　そして、広告/メッセージは定義されたグループにマルチ-キャストによって送られます。(ステップ308)　メッセージの残りはブロードキャストによって送られます。マルチキャストによって送るべきであるかという決定は効率基準によって決定されます。 ）
　
　この記載事項によると，引用例には，
「携帯電話とテレビ電話を含む、電話システムおよび会議システムにおいて、
　インターネットとの通信に無線通信、PSTNおよびセルラー・ネットワークを含むグループのうちのいずれかを含んでおり、
　そして、リモート管理サーバ、ゲートウエイが接続され、
　ゲートウェイ150は、広告/メッセージ・データのリアル・タイムでの混合を行ない、そのデータは、リモート管理サーバー上、あるいはゲートウエイ150と通信される他の装置に格納されており、
当該リモート管理サーバは、
　顧客および広告主情報を処理すると同様に、発信者から受信者へ通話のルーティングを管理し、
　また、広告を特定の選択基準（グループ用の規則等）を元に効果的な広告を選択し、
　各グループの独自のマルチキャストアドレスがセットされ、グループにマルチキャストで送り、
　そして、テレビ電話中に電話相手とともに、送信されているビデオストリーム中に挿入された広告が表示されるようになされた、
　通信システム」
の発明（以下，「引用発明」という。）が記載されていると認められる。
　
３　対比
　本願発明と引用発明を対比すると、
　引用発明の、「インターネット」、「無線通信、PSTNおよびセルラー・ネットワーク」は、本願発明の「コンピュータネットワーク」、「無線電話ネットワーク」に相当し、また、引用発明の「携帯電話」は、会議システムを構成しているから、「グループ通信ネットを定義する複数の通信デバイス」に相当している。
　また、引用発明の「リモート管理サーバ」は、「発信者から、受信者への通話ルーティングを管理している」ことから、本願発明のグループ通信セッションを管理する機能を有することは明らかである。
　また、引用発明の「広告／メッセージデータ」は、本願発明の「情報メッセージ」に相当し、そして、引用発明において、リモート管理サーバは、当該データを格納しており、本願発明の「複数の情報メッセージを保持している」機能を有することは明らかであり、また、同じくリモート管理サーバは、「特定の選択基準に基づいて、当該データを選択し、グループに配信することから、本願発明の「複数のメッセージのうちの予め定めた１つを前記グループ通信ネットに配信する」機能も備えている。
　
　したがって、両者は、以下の点で一致し、以下の点で相違する。
（一致点）
　情報配信システムであって、
　少なくともコンピュータネットワークに結合された無線電話ネットワークによって定義され、グループ通信ネットを定義する複数の通信デバイスと接続している通信ネットワークと、
　前記コンピュータネットワークに接続され、複数の情報メッセージを保持しているメッセージモジュールと、
　前記コンピュータネットワークに接続され、前記コンピュータネットワークを経由して前記通信ネットワークの各々にも接続されており、グループ通信セッションを監視し、前記複数のメッセージのうちの予め定めた１つを前記グループ通信ネットに配信するコントローラモジュールと、
　を備えた情報配信システム。
（相違点１）
　　本願発明は、「前記グループ通信ネットの１つのメンバーから前記コンピュータネットワークを経由してデータパケットを受信し、このデータパケットを前記コンピュータネットワークを経由して、前記グループ通信ネットの他のメンバーのうちの少なくとも１つに送信することが可能なように動作」するコントローラモジュールを備えるのに対し、引用発明においては、そのことについて、不明である点。
（相違点２）
　本願発明は、「コントローラモジュールに接続されており、予め定めた配信特性に基づいて、予め定めたメッセージの配信をスケジューリングすることが可能なように動作する配信マネジャー」を備えるのに対し、引用発明においては、配信をスケジューリングすることについて、明記されていない点。
４　当審の判断
　上記相違点について検討すると、
（相違点１について）
　会議システム等のグループ通信を行う場合に、一つの端末からデータパケットを受信し、それを他の端末へ送信することは、一般的な通信処理であり、また、引用発明も、「発信者から、受信者への通話ルーティングを管理している」機能を有していることから、引用発明において、当該相違点１に係る構成を備えるようにすることに格別の点はない。
　
（相違点２について）
　上記「２　引用刊行物記載の発明　（４）」に、時間、日付を考慮して、配信する広告を選択することが記載されており、このことから、引用発明においても、予め定めた配信特性に基づいて、選択した広告は適切な時間に配信されることとなる。したがって、引用発明において、広告を適切な時間に配信するために、当該相違点２に係る構成を備えるようにすることは、当業者が容易になし得ることである。
　
　そして、本願発明が奏する作用、効果についてみても、引用発明から当業者が予想できる程度のものである。
　
５　むすび
　したがって，本願発明は，引用例に記載された発明に基づいて当業者が容易に発明をすることができたものであるから，特許法２９条２項の規定により特許を受けることができない。
　よって，結論のとおり審決する。